(57)【要約】【課題】本発明は、従来のフラッシュ材を主とする面材によらない、組み立てが容易で、組み立て部材の製造が容易な、しかも、取り外しも簡単にできる組み立て式家具を提供しようとするものである。【解決手段】外枠部材として、柱に目される垂直部材及び天板、底板や側板の構成部材と目される水平部材との組み合わせにより構成される組み立て式家具である。垂直部材は、アルミニウム製の略Ｌ字型構造物で、その上面に少なくとも２個のネジ孔を有することができ、その両端面に帯状突起を有することができる。水平部材は、断面形状が略下字状であり、その両端面が４５度の角度をなし、端面付近にネジ孔を有し、かつ、支持突起を備えることができる。【選択図】図６
2004097425.tif 000002
【特許請求の範囲】
【請求項１】
垂直部材及び水平部材との組み合わせにより構成される組み立て式家具。
【請求項２】
前記垂直部材が、金属製の略Ｌ字型構造物で、少なくとも、その上面に２個のネジ孔を有することを特徴とする請求項１記載の組み立て式家具。
【請求項３】
前記垂直部材が、その両端面に帯状突起を有することを特徴とする請求項２に記載の組み立て式家具。
【請求項４】
前記水平部材が、断面形状が略下字状であり、その両端面が４５度の角度をなし、端面付近にネジ孔を有し、かつ、支持突起を備えたことを特徴とする請求項１から請求項３のいずれかに記載の組み立て式家具。
【請求項５】
水平方向の外枠部材として請求項２又は請求項３記載の垂直部材４本と、水平方向の外枠材部として請求項４記載の水平部材を４本を上部に配置し、互いにねじで固定して立法体状に組み立てたことを特徴とする組み立て式家具。
【請求項６】
更に、水平部材を４本を下部に配置し、ねじで固定して立法体状に組み立てたことを特徴とする請求項５に記載の組み立て式家具。
【請求項７】
前記水平部材の支持突起上に底板及び／又は天板を装着したことを特徴とする請求項５又は請求項６に記載の組み立て式家具。
【請求項８】
前記垂直部材の帯状突起に側板を、該側板の縦面に上下に設けた溝を介して、嵌挿し取り付けたことを特徴とする請求項５から請求項７のいずれかに記載の組み立て式家具。
【請求項９】
前記垂直部材及び水平部材がアルミニウムからなることを特徴とする請求項１から請求項８のいずれかに記載の組み立て式家具。
【請求項１０】
天板、底板及び側板がガラス、プラスチック、木材の中から選択される材質からなることを特徴とする請求項６から請求項９のいずれかに記載の組み立て式家具。
【発明の詳細な説明】
【０００１】
【発明の属する技術分野】
本発明は、組み立て式の家具に関する。詳しくは、垂直部材と水平部材の外枠部材を基本とする、組み立て式の家具に関する。
【０００２】
【従来の技術】
生活様式の変化に伴い重厚な家具より、組み立てや取り外しが容易で、住居の間取りや大きさに合わせて配置することのできる組み立て式の家具が広く利用されるようになってきている。この観点からは、収納家具が著名である。収納家具に関しては、手軽に組み立てや取り外しができるので、収納する物の大きさや量に従って、希望の収納場所が確保できる、更には、引っ越し等に便利である等の特徴を有する。
【０００３】
組み立て式家具としては、例えば、特開２００１−１１２５５１には天板の後部を支持する壁面取付桟を壁面に固定し、この壁面取付桟に天板の側部を支持する仕切部材を取り付ける構造を有する、省資源・省施工・高輸送効率の壁面固定組立式収納家具は記載され、特開１１−３１８５９３には、支柱と構造体を連結する開閉自在のエンド部材の開放端部にテーパ片を有する張り出し部を一対設け、構造体下面の挿入穴をエンド部材の閉止状態における張り出し部の形状に対応させることにより、支柱に外挿したエンド部材の構造体の上方からの嵌着時に、挿入穴と張り出し部のテーパ片との楔作用により支柱を挟持するようにエンド部材を閉止する、家具を構成する構造体と支柱の連結材が記載され、特開１１−３１８５８６には複数本の支柱を支柱ジョイントにより間隔を置いて連結することによって、連結された支柱及び支柱ジョイントを自立可能とし、連結された支柱及び支柱ジョイントを複数組自立させ、これらの間に収容部材を掛け渡す組み立て式家具が記載されている。
【０００４】
また、収納家具以外の組み立て式家具として、特開２００２−９５５３３には、組み立てが簡単で、一時的に用済みになったときにも、容易に一時的に分解し保管や運搬が出来る組み立て構造体及びその構造体に使用される組み立てキットが記載され、特開平１１−９３５７には、孔群の規格を共通化して、各種のサイズのボックス型の家具を簡単に組み立てることができる家具の組立構造が記載されている。
【０００５】
特開２００２−９５５３３記載の組み立て式家具は、ループ部を有する側面を形成するユニット素材と同様にループ部を有する底面を形成するユニット素材とをループ部が一致するように配置し、ループ部によって生じた貫通孔に連結部材を差し込んで組み立てることを基本にしている。そのため、ループ部の形成が面倒であり、外観が良くないといった問題が指摘されている。また、特開平１１−９３５７記載の組み立て式家具は、背板の上下左右周辺に凹溝を形成し、側板に所定ピッチに配置された多数の背板連結用の孔群を設け、孔郡の孔に嵌装可能な連結具を該凹溝に固定することにより、家具を組み立てるものである。孔を複数設けるので、孔への嵌挿が面倒である、孔が甘くなり連結具の孔への嵌挿、固定が困難になるという問題がある。
【０００６】
【発明が解決しようとする課題】
本発明は、収納家具以外の一般家具を含めて、従来のフラッシュ材を主とする面材によらない、組み立てが容易で、組み立て部材の製造が容易な、しかも、取り外しも簡単にできる組み立て式家具を提供しようとするものである。
【０００７】
【課題を解決するための手段】
本発明の要旨は、外枠部材の組み合わせを基本とする組み立て式家具である。即ち、外枠部材として、柱に目される垂直部材及び天板、底板や側板の構成部材と目される水平部材との組み合わせにより構成される組み立て式家具である。
【０００８】
垂直部材は、金属製の略Ｌ字型構造物で、その上面に少なくとも２個のネジ孔を有することができ、その両端面に帯状突起を有することができる。水平部材は、断面形状が略下字状であり、その両端面が４５度の角度をなし、端面付近にネジ孔を有し、かつ、支持突起を備えることができる。
【０００９】
更に、水平方向の外枠部材として垂直部材４本と、水平方向の外枠部材として水平部材を４本を上部に配置し、互いにねじで固定して立法体状に組み立てたことを特徴とする組み立て式家具である。この際、垂直部材の下方に、更に、４本の水平部材を配置し、立体家具とすることができる。そして、水平部材の支持突起上に底板及び／又は天板を装着することができ、垂直部材の帯状突起に側板を、該側板の縦面に上下に設けた溝を介して、嵌挿し取り付けることができる。また、垂直部材及び水平部材がアルミニウムから構成することができ、天板、底板及び側板はガラス、プラスチック、木材の中から選択される材質から構成することができる。
【００１０】
【発明の実施の形態】
本発明を、以下実施形態に基づいて説明する。本発明は、家具を組み立てるための外枠部材を使用することを特徴としている。外枠部材というのは、家具を構成する基本骨格となる部材のことをいう。具体的には、家具を支えるいわば柱となり得る垂直部材及び天板や底板の基本枠を構成する水平部材である。
【００１１】
垂直部材の構成例を図１に示した。垂直部材１は、略Ｌ字状の金属製の構造物である。その上面には、水平部材を固定するためのネジ孔５、６が設けられている。垂直部材１の両端面の中央部分に帯状突起２、３が設けられている。家具を組み立てる際には、この垂直部材の上に天板を置き、側面には側板を取り付け、底には底板を取り付ける。その側板の縦部の上下に溝を設けておく。この溝に、帯状突起２、３を嵌挿して、側板を垂直部材に固定するのである。側板を嵌挿しない場合は、この帯状突起は無くてもよい。
【００１２】
水平部材１６は、図３〜図５に示したように、両端が４５度の角度をなし、両端付近に垂直部材を連結するためのネジ孔１３、１３’があけられている。そして、水平部材１６の断面は略下字状をなし、支持突起１５を備えている。４個の垂直部材にそれぞれ４個の水平部材を取り付けると、図２に示したように、水平部１０を構成することができる。水平部１０の中に、４個の水平部材の支持突起（１５）上に、天板が配置され、保持される。勿論、垂直部材の下方には、同様にして、底板を配置し保持することができる。
【００１３】
垂直部材と水平部材とからなる家具の例として、図６にテーブルを示した。４本の垂直部材（３１）に４個の水平部材（３２）をそれぞれのネジ孔を合わせて、ネジ留めする。垂直部材にネジを切っておいて、水平部材のネジ孔からネジを差し込みねじ込んでもよいし、垂直部材及び水平部材のそれぞれにネジ孔をあけておき、それぞれのネジ孔を合わせてボルトとナットで締め付け固定してもよい。垂直部材に水平部材を取り付けた後で、水平部材の支持突起の上に天板（３３）を積載、固定する。このようにして、テーブルを簡単に組み立てることができる。
【００１４】
図７には、組み立て式家具の例として引き出し付きボックスを示した。図６に示したテーブルのように、４個の垂直部材（４１）に４個の水平部材（４２）をその上方部に取り付け、更に下方部に４個の水平部材（４６）を取り付ける。このボックスは、側板（４４）を備えるので、垂直部材に水平部材を取り付け固定する前に、側板（４４）を取り付ける。側板を取り付けるに際しては、先に述べたように、垂直部材の端面に設けた帯状突起を側板の側面に設けた溝に嵌挿する。側板は、少なくとも３枚取り付け、通常の方法で引き出し（４５）を取り付ける。この際、引き出しに代えて、一方の面は開放状態でもよいし、扉を蝶番で取り付けてもよい。ボックスの底と天井には、図６のテーブルと同様に、水平部材の支持突起に天板、底板を積載し固定する。底板は、勿論ネジ留め等により水平部材に固定する。必要に応じて、キャスターを取り付けることもできる。
【００１５】
本発明の組み立て式家具は、基本的には、垂直部材と水平部材の外枠部材の組み合わせで組み立てられる。加えて、天板、側板、扉、引き出し等の各種部材を備えることにより、広範囲に亘る組み立て式家具が可能である。これらの外枠部材、少なくとも垂直部材と水平材材の寸法を規格化し、その寸法に併せた天板、側板、扉、引き出し等の各種部材を備えることにより、応用範囲の広い組み立て式家具が可能になる。外枠部材である垂直部材及び水平部材は、いずれもアルミニウムから構成するのがよい。外枠部材の製造が容易であるからである。また、天板、底板や側板は、ガラス、プラスチックや木材から構成することができる。ガラス、プラスチックや木材かからなる天板、底板や側板を組み合わせてもよい。
【００１６】
本発明の組み立て家具は、屋内外で使用することができる。テーブル、ワゴン、キャビネット、デスク、壁面収納、電話機台、各種の容器、物入れ、ボックス、マガジンラック、玩具入れ、ごみ箱、道具箱、洗濯物箱等、屋外テーブル、物置、園芸用品入れ、ペット用品入れ、廃品一時保管容器等にまで用いることができる。更に、必要に応じて、底部にキャスターをつけて、移動を容易にすることもできる。
【００１７】
【発明の効果】
本発明は、外枠部材の組み合わせにより構成される家具である。即ち、柱の役目を為す垂直部材、天板、底板等を保持する水平部材からなる組み立て式家具である。組み立てが容易であり、また、取り外しも容易である。しかも、部材である垂直部材、水平部材をはじめとして、天板、側板、扉、引き出し等の各種部材を備えることにより、広範囲に亘る組み立て式家具が可能である。更に、これらの外枠部材、即ち、垂直部材と水平材材の寸法を規格化し、その寸法に併せた天板、側板、扉、引き出し等の各種部材を備えることにより、応用範囲の広い組み立て式家具が可能になる。
【図面の簡単な説明】
【図１】垂直部材の例を示す図である。
【図２】水平部材の断面を示す図である。
【図３】水平部材の平面図である。
【図４】水平部材の斜視図である。
【図５】水平部材からなる水平部を示す図である。
【図６】テーブルを示す図である。
【図７】ボックスを示す図である。
【符号の説明】
１　　　　　　垂直部材
２、３　　　　帯状突起
４　　　　　　垂直部材構造体
５、６　　　　ネジ孔
１０　　　　　水平部材
１２　　　　　水平部材構造体
１３、１３’　ネジ孔
１４　　　　　ネジ孔
１５　　　　　支持突起
１６　　　　　水平部材表面
３１　　　　　垂直部材
３２　　　　　水平部材
３３　　　　　天板
４１　　　　　垂直部材
４２　　　　　水平部材
４３　　　　　天板
４４　　　　　側板
４５　　　　　引き出し
４６　　　　　キャスター
【図１】
2004097425.tif 000003
【図２】
2004097425.tif 000004
【図３】
2004097425.tif 000005
【図４】
2004097425.tif 000006
【図５】
2004097425.tif 000007
【図６】
2004097425.tif 000008
【図７】
2004097425.tif 000009